【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
複数のグループ会社各社を含む会社グループの業務実績に関する情報を共有するための業務実績情報共有システムであって、
前記グループ会社各社の端末と、前記グループ会社全体で共通の共有サーバとを備え、
前記グループ会社各社の端末は、当該グループ会社全体で共通の業務実績に関する共有項目を少なくとも含む、各々自社の業務実績に関する個別実績情報を格納した個別データベースと、前記グループ会社各社からの照会要求を受けて、各々自社の前記個別データベースに格納されている個別実績情報を照会する個別情報照会部とを有し、
前記共有サーバは、前記グループ会社各社の個別データベースに格納されている個別実績情報から、前記共有項目の情報を抜き出して共通のフォーマットに変換し、業務実績に関する共有実績情報として格納した共有データベースと、前記グループ会社各社からの照会要求を受けて、前記共有データベースに格納されている共有実績情報を照会する共有情報照会部とを有し、
前記グループ会社各社の端末と前記共有サーバとはネットワークを経由して相互に接続されていることを特徴とする業務実績情報共有システム。
【請求項２】
前記業務実績は物流実績であり、前記共有項目は、少なくとも発地と、受渡場所と、これらの発地から受渡場所までの間の物流費用とを含むことを特徴とする請求項１に記載の業務実績情報共有システム。
【請求項３】
前記会社グループは、前記グループ会社全体の当該業務を総括する会社を含み、前記共有情報照会部は、前記当該業務を総括する会社からの照会要求を受けて前記共有実績情報の全体を照会すると共に、前記当該業務を総括する会社を除く前記グループ会社各社からの照会要求を受けて、自社以外の前記グループ会社各社に関する前記共有実績情報の一部のみを照会することを特徴とする請求項１または２に記載の業務実績情報共有システム。
【請求項４】
前記会社グループは、前記グループ会社全体の当該業務を総括する会社を含み、前記共有情報照会部は、前記当該業務を総括する会社を除く前記グループ会社各社からの照会要求を受けて、自社以外の前記グループ会社各社に関する前記共有実績情報の一部については、異なる表現に変換した情報を照会することを特徴とする請求項１または２に記載の業務実績情報共有システム。
【請求項５】
前記業務実績は物流実績であり、前記共有実績情報の一部は輸送量の共有実績情報であり、前記異なる表現への変換は、輸送便数への変換であることを特徴とする請求項４に記載の業務実績情報共有システム。
【請求項６】
前記共有サーバは、さらに、前記グループ会社各社が、それぞれの品種区分毎に作成した利益計画と、前記個別データベースに格納された個別実績情報から作成した、前記利益計画に対応する実績情報とを格納した利益計画データベースを有することを特徴とする請求項１ないし５のいずれかに記載の業務実績情報共有システム。
【請求項７】
複数のグループ会社各社を含む会社グループの業務実績を解析する業務実績の解析方法であって、
前記グループ会社各社が、当該グループ会社全体で共通の業務実績に関する共有項目を少なくとも含む、各々自社の業務実績に関する個別実績情報を格納した個別データベースを作成すると共に、
前記グループ会社各社の個別データベースに格納されている個別実績情報から、前記共有項目の情報を抜き出して共通のフォーマットに変換し、業務実績に関する共有実績情報として格納した共有データベースを作成し、
前記グループ会社各社が、各々自社の前記個別データベースに格納されている個別実績情報を照会し、解析すると共に、
前記会社グループの中の、前記グループ会社全体の当該業務を総括する会社が、前記共有データベースに格納されている共有実績情報を照会し、解析することを特徴とする業務実績の解析方法。
【請求項８】
前記当該業務を総括する会社は前記共有実績情報の全てを照会し、解析し、前記当該業務を総括する会社を除く前記グループ会社各社がさらに、ネットワークを経由して、前記共有データベースに格納されている、自社以外の前記グループ会社各社に関する前記共有実績情報の一部のみを照会し、解析することを特徴とする請求項７に記載の業務実績の解析方法。
【請求項９】
前記当該業務を総括する会社を除く前記グループ会社各社がさらに、ネットワークを経由して、前記共有データベースに格納されている、自社以外の前記グループ会社各社に関する前記共有実績情報の一部については、異なる表現に変換した情報を照会することを特徴とする請求項７に記載の業務実績の解析方法。
【請求項１０】
前記業務実績は物流実績であり、前記共有実績情報の一部は輸送量の共有実績情報であり、前記異なる表現への変換は、輸送便数への変換であることを特徴とする請求項９に記載の業務実績の解析方法。
【請求項１１】
複数のグループ会社各社を含む会社グループの業務実績に関する情報を共有するための業務実績情報共有システムであって、
前記グループ会社各社の業務実績に関する個別実績情報から、前記グループ会社全体で共通の業務実績に関する共有項目の情報を抜き出して共通のフォーマットに変換し、業務実績に関する共有情報として格納した共有データベースと、前記グループ会社各社からの照会要求を受けて、前記共有データベースに格納されている共有実績情報を照会する共有情報照会部とを有し、
当該共有情報照会部は、前記グループ会社各社からの照会要求を受けて、自社以外の前記グループ会社各社に関する共有実績情報の一部については、異なる表現に変換した情報を照会することを特徴とする業務実績情報共有システム。
【請求項１２】
前記業務実績は物流実績であり、前記共有実績情報の一部は輸送量の共有実績情報であり、前記異なる表現への変換は、輸送便数への変換であることを特徴とする請求項１１に記載の業務実績情報共有システム。
【請求項１３】
複数のグループ会社各社を含む会社グループの業務実績を解析する業務実績の解析方法であって、
前記グループ会社各社の業務実績に関する個別実績情報から、前記グループ会社全体で共通の業務実績に関する共有項目の情報を抜き出して共有のフォーマットに変換し、業務実績に関する共有情報として格納した共有データベースを作成し、
前記グループ会社全体の当該業務を総括する会社が、前記共有データベースに格納された共有実績情報の全体を照会し、解析すると共に、
前記当該業務を総括する会社を除く前記グループ会社各社が、自社以外の前記グループ会社各社に関する前記共有実績情報の一部について、異なる表現に変換した情報を照会し、解析することを特徴とする業務実績の解析方法。
【請求項１４】
前記業務実績は物流実績であり、前記共有実績情報の一部は輸送量の共有実績情報であり、前記異なる表現への変換は、輸送便数への変換であることを特徴とする請求項１３に記載の業務実績の解析方法。
【請求項１５】
複数のグループ会社各社において、当該グループ会社各社の業務実績を照会する機能を備える業務実績情報共有システムであって、
前記グループ会社全体で共通の業務実績に関する共有項目を少なくとも含む、自社の業務実績に関する個別実績情報を格納した個別データベースと、自社の前記個別データベースに格納されている個別実績情報を照会する個別情報照会部と、自社の前記個別データベースから、前記共有項目の情報を抜き出して共通のフォーマットに変換し、業務実績に関する共有実績情報を作成する共有情報作成部とを有することを特徴とする業務実績情報共有システム。
【請求項１６】
請求項１５に記載の業務実績情報共有システムを実現した業務実績情報共有プログラムを格納した記録媒体。
【手続補正２】
【補正対象書類名】明細書
【補正対象項目名】００１１
【補正方法】変更
【補正の内容】
【００１１】
また、前記会社グループは、前記グループ会社全体の当該業務を総括する会社を含み、前記共有情報照会部は、前記当該業務を総括する会社からの照会要求を受けて前記共有実績情報の全体を照会すると共に、前記当該業務を総括する会社を除く前記グループ会社各社からの照会要求を受けて、自社以外の前記グループ会社各社に関する前記共有実績情報の一部のみを照会するのが好ましい。
また、前記会社グループは、前記グループ会社全体の当該業務を総括する会社を含み、前記共有情報照会部は、前記当該業務を総括する会社を除く前記グループ会社各社からの照会要求を受けて、自社以外の前記グループ会社各社に関する前記共有実績情報の一部については、異なる表現に変換した情報を照会するのが好ましい。
また、前記業務実績は物流実績であり、前記共有実績情報の一部は輸送量の共有実績情報であり、前記異なる表現への変換は、輸送便数への変換であるのが好ましい。
【手続補正３】
【補正対象書類名】明細書
【補正対象項目名】００１３
【補正方法】変更
【補正の内容】
【００１３】
また、請求項７に記載の発明は、複数のグループ会社各社を含む会社グループの業務実績を解析する業務実績の解析方法であって、
前記グループ会社各社が、当該グループ会社全体で共通の業務実績に関する共有項目を少なくとも含む、各々自社の業務実績に関する個別実績情報を格納した個別データベースを作成すると共に、
前記グループ会社各社の個別データベースに格納されている個別実績情報から、前記共有項目の情報を抜き出して共通のフォーマットに変換し、業務実績に関する共有実績情報として格納した共有データベースを作成し、
前記グループ会社各社が、各々自社の前記個別データベースに格納されている個別実績情報を照会し、解析すると共に、
前記会社グループの中の、前記グループ会社全体の当該業務を総括する会社が、前記共有データベースに格納されている共有実績情報を照会し、解析することを特徴とする業務実績の解析方法を提供する。
【手続補正４】
【補正対象書類名】明細書
【補正対象項目名】００１４
【補正方法】変更
【補正の内容】
【００１４】
ここで、前記当該業務を総括する会社は前記共有実績情報の全てを照会し、解析し、前記当該業務を総括する会社を除く前記グループ会社各社がさらに、ネットワークを経由して、前記共有データベースに格納されている、自社以外の前記グループ会社各社に関する前記共有実績情報の一部のみを照会し、解析するのが好ましい。
また、前記当該業務を総括する会社を除く前記グループ会社各社がさらに、ネットワークを経由して、前記共有データベースに格納されている、自社以外の前記グループ会社各社に関する前記共有実績情報の一部については、異なる表現に変換した情報を照会するのが好ましい。
また、前記業務実績は物流実績であり、前記共有実績情報の一部は輸送量の共有実績情報であり、前記異なる表現への変換は、輸送便数への変換であるのが好ましい。
【手続補正５】
【補正対象書類名】明細書
【補正対象項目名】００１５
【補正方法】変更
【補正の内容】
【００１５】
また、請求項１１に記載の発明は、複数のグループ会社各社を含む会社グループの業務実績に関する情報を共有するための業務実績情報共有システムであって、
前記グループ会社各社の業務実績に関する個別実績情報から、前記グループ会社全体で共通の業務実績に関する共有項目の情報を抜き出して共通のフォーマットに変換し、業務実績に関する共有情報として格納した共有データベースと、前記グループ会社各社からの照会要求を受けて、前記共有データベースに格納されている共有実績情報を照会する共有情報照会部とを有し、
当該共有情報照会部は、前記グループ会社各社からの照会要求を受けて、自社以外の前記グループ会社各社に関する共有実績情報の一部については、異なる表現に変換した情報を照会することを特徴とする業務実績情報共有システムを提供する。
【手続補正６】
【補正対象書類名】明細書
【補正対象項目名】００１７
【補正方法】変更
【補正の内容】
【００１７】
また、請求項１３に記載の発明は、複数のグループ会社各社を含む会社グループの業務実績を解析する業務実績の解析方法であって、
前記グループ会社各社の業務実績に関する個別実績情報から、前記グループ会社全体で共通の業務実績に関する共有項目の情報を抜き出して共有のフォーマットに変換し、業務実績に関する共有情報として格納した共有データベースを作成し、
前記グループ会社全体の当該業務を総括する会社が、前記共有データベースに格納された共有実績情報の全体を照会し、解析すると共に、
前記当該業務を総括する会社を除く前記グループ会社各社が、自社以外の前記グループ会社各社に関する前記共有実績情報の一部について、異なる表現に変換した情報を照会し、解析することを特徴とする業務実績の解析方法を提供する。
ここで、前記業務実績は物流実績であり、前記共有実績情報の一部は輸送量の共有実績情報であり、前記異なる表現への変換は、輸送便数への変換であるのが好ましい。
【手続補正７】
【補正対象書類名】明細書
【補正対象項目名】００１８
【補正方法】変更
【補正の内容】
【００１８】
また、請求項１５に記載の発明は、複数のグループ会社各社において、当該グループ会社各社の業務実績を照会する機能を備える業務実績情報共有システムであって、
前記グループ会社全体で共通の業務実績に関する共有項目を少なくとも含む、自社の業務実績に関する個別実績情報を格納した個別データベースと、自社の前記個別データベースに格納されている個別実績情報を照会する個別情報照会部と、自社の前記個別データベースから、前記共有項目の情報を抜き出して共通のフォーマットに変換し、業務実績に関する共有実績情報を作成する共有情報作成部とを有することを特徴とする業務実績情報共有システムを提供する。
【手続補正８】
【補正対象書類名】明細書
【補正対象項目名】００１９
【補正方法】変更
【補正の内容】
【００１９】
また、請求項１６に記載の発明は、請求項１５に記載の業務実績情報共有システムを実現した業務実績情報共有プログラムを格納した記録媒体を提供する。